(57)【要約】  本発明は、エレベーター用かごのかご室本体（１００）の内部に取り付けられる照明装置（１２）に関し、照明装置（１２）の大きさが天井パネル（５）の設計に及ぼす影響を少なくし、異なる大きさの照明装置（１２）への取り替えを容易とするものである。この課題を解決するため、本発明は、かご室本体（１００）を構成する側面パネル（６）と天井パネル（５）との締結部において取付具（１４）の保持板部（１４ｂ）を共締めして保持し、保持された取付具（１４）の取付板部（１４ｅ）から突出する突出部（１４ｆ）に、照明装置（１２）の突出部用挿入溝（１５ｃ）を挿入することで、照明装置（１２）を取付具（１４）に対し取り付け可能に構成した。
2015181850.tif 000002
【特許請求の範囲】
【請求項１】
床パネルと、この床パネルに立設される側面パネルと、この側面パネルの上方に取り付けられる天井パネルとを有するかご室本体、  前記側面パネルの上面と前記天井パネル下面との間に保持される保持板部と、前記保持板部から前記側面パネルの前記かご室本体側の表面に沿って延在する取付板部と、前記取付板部から前記側面パネルの前記かご室本体側の表面とは反対側に突出する突出部とを有する取付具、  前記突出部が挿入される突出部用溝を有し、前記取付板部に取り付けられる照明装置、を備えるエレベーター用かご。
【請求項２】
前記側面パネルは第１の締結用穴が形成された第１の締結部を有し、  前記天井パネルは第２の締結用穴が形成された第２の締結部を有し、  前記保持板部は、前記第１の締結部の上面と前記第２の締結部の下面との間に保持され、前記第１の締結用穴と前記第２の締結用穴に通じる第３の締結用穴を有し、  前記第１の締結部と前記第２の締結部と前記保持板部は、前記第１の締結用穴と前記第２の締結用穴と前記第３の締結用穴を通るボルトにより締結されることを特徴とする請求項１に記載のエレベーター用かご。
【請求項３】
前記照明装置は、発光装置と、この発光装置を内包し、前記取付具の前記取付板部に固定される照明箱とを有し、  前記照明箱は、前記発光装置の電源ケーブルが通るケーブル用穴を有し、  前記取付具の前記取付板部および前記保持板部には、前記照明箱の前記ケーブル用穴と前記かご室本体外部とを連通するケーブル用溝が形成されることを特徴とする請求項１又は２に記載のエレベーター用かご。
【請求項４】
前記発光装置は、前記照明箱の下板に固定され、  前記照明箱の上面は開口しており、  前記ケーブル用穴は、前記上面の開口よりも下方に形成されることを特徴とする請求項３に記載のエレベーター用かご。
【請求項５】
前記発光装置は、前記照明箱の下板に固定され、  前記照明箱の上面は開口しており、  前記ケーブル用穴は、前記発光装置の発光素子よりも下方に形成されることを特徴とする請求項３に記載のエレベーター用かご。
【請求項６】
前記側面パネルは、前記かご室本体外部まで延在し前記保持板部を保持する上面部と、前記かご室本体外部において前記上面部から下方に延在する第１の縁部とを有し、  前記取付具の前記保持板部は前記かご室本体外部まで延在し、  前記取付具は、前記かご室本体外部において前記保持板部から前記第１の縁部に沿って下方に延在する側面部と、この側面部から前記第１の縁部の下方まで延在する第２の縁部を有することを特徴とする請求項１に記載のエレベーター用かご。
【発明の詳細な説明】
【技術分野】
【０００１】  この発明は、正面に扉を有し、側面に側面パネルを配し側面パネルの上方に天井パネルを配するエレベーター用かごに代表される、少なくとも１つの側面パネルを有するかごにかかわり、かご室の内部を照らす照明装置を備えるエレベーター用かごに関するものである。
【背景技術】
【０００２】  従来のエレベーター用かごにおいては、かご室の内部を照らす照明装置を内包する照明ケースを天井パネルの天板部に取り付けたものがある（特許文献１）。また、照明装置を内包する照明ケースを互いに向かい合う側面パネルの上端部にそれぞれ締結し、この２つの照明ケース間に天井パネルを保持したものがある（特許文献２）。
【先行技術文献】
【特許文献】
【０００３】
【特許文献１】特開昭６１−６４６８９号公報
【特許文献２】特開平１１−３４９２５９号公報
【発明の概要】
【発明が解決しようとする課題】
【０００４】  しかし、特許文献１に記載の発明においては、照明装置を内包する照明ケースを天井パネルの天板部に取り付けているので、取り付ける照明ケースに合わせて天板部を設計しなければならなかった。また、特許文献２に記載の発明においては、照明装置を内包する照明ケースに側面パネル及び天井パネルを締結しているので、照明ケースの大きさに合わせて天井パネルの大きさを設計しなければならず、異なる大きさの照明ケースに取り替えることも困難であった。【０００５】  この発明は、上述のような課題を解決するためになされたものであり、照明装置の大きさが天井パネルの設計に及ぼす影響が少なく、異なる大きさの照明装置への取り替えが容易なエレベーター用かごを得ることを目的とする。
【課題を解決するための手段】
【０００６】  この発明に係るエレベーター用かごは、側面パネルと天井パネルとの間に保持された取付具の突出部に、照明装置の突出部用挿入溝を挿入することで、照明装置を取付具に取付るものである。
【発明の効果】
【０００７】  この発明によれば、照明装置の大きさが天井パネルの設計に及ぼす影響が少なく、異なる大きさの照明装置への取り替えが容易になる。
【図面の簡単な説明】
【０００８】
【図１】実施の形態１におけるエレベーター用かごを示す斜視図である。
【図２】実施の形態１におけるエレベーター用かごの横断面図である。
【図３】実施の形態１における照明装置、側面パネル及び天井パネルを示す部分断面図である。
【図４】実施の形態１における取付具の斜視図である。
【図５】実施の形態１における照明装置の断面図である。
【図６】実施の形態１における照明箱の側面側斜視図である。
【図７】実施の形態１における照明箱の底面側斜視図である。
【図８】実施の形態１における側面パネル、取付具及び天井パネルの取り付け時の位置関係を示す部分断面図である。
【図９】実施の形態１における側面パネルの部分正面図である。
【図１０】実施の形態１における背面パネルを示す図である。
【図１１】実施の形態１における前面部を示す図である。
【図１２】実施の形態１における他の実施例のエレベーター用かごを示す斜視図である。
【図１３】実施の形態２におけるエレベーター用かごを示す斜視図である。
【図１４】実施の形態２における照明装置、側面パネル及び天井パネルを示す部分断面図である。
【図１５】実施の形態２における照明装置の断面図である。
【図１６】実施の形態２における照明箱を示す斜視図である。
【図１７】実施の形態３における取付具を示す斜視図である。
【図１８】実施の形態４における照明装置の断面図である。
【図１９】実施の形態４における照明箱を示す斜視図である。
【図２０】実施の形態５における取付具を示す斜視図である。
【図２１】実施の形態５における照明装置の断面図である。
【図２２】実施の形態５における照明箱を示す斜視図である。
【発明を実施するための形態】
【０００９】実施の形態１．  以下にこの発明の実施の形態１を図１から図３を用いて説明する。図１及び図２に示すように、かご室本体１００は正面に片開きの扉１、正面パネル２及び操作パネル３を有する。さらに、かご室本体１００は、床パネル４、天井パネル５、両側面の側面パネル６及び背面パネル７を有する。正面パネル２はかご室本体１００の扉１の上辺及び左側面を囲うように配置される。正面パネル２の横の操作パネル３には、かごが現在走行している階を表示する表示装置８とかごの行先階を登録する登録装置９が設けられている。
【００１０】  側面パネル６及び背面パネル７は床パネル４と天井パネル５との間に配置される。床パネル４と両側面パネル６との間とには巾木１０が配置される。床パネル４と背面パネル７との間にも巾木１０が配置される。この巾木１０は両側面パネル６及び背面パネル７の下端において、両側面パネル６及び背面パネル７を床パネル４に立設して固定するために設けられた空間部を覆うためのものである。両側面パネル６にはそれぞれ手すり１１が設けられている。照明装置１２は、かご室本体１００の上部における天井パネル５と側面パネル６の境界部に設けられる。
【００１１】  図３に示すように天井パネル５はかご室本体１００の天井を構成する平面四角形状の天板部５ａを有し、この天板部５ａの４辺それぞれから垂直に立ち下げられた垂直部５ｂと、この垂直部５ｂからかご室本体１００外方に向かって水平に延在する締結部５ｃとを有している。４つの垂直部５ｂのうち両側面パネル６の上方に位置する２つの垂直部５ｂは換気穴５ｄを有する。
【００１２】  両側面パネル６は床パネル４に対し立設され、かご室本体１００の壁を構成する壁面部６ａを有し、この壁面部６ａの上端部にかご室本体１００外方に向かって水平方向に延在する上面部としての締結部６ｂを有し、この締結部６ｂから垂直に立ち下げられ下方に延在する縁部６ｃを有している。側面パネル６の締結部６ｂと天井パネル５の締結部５ｃで後述の取付具１４を挟み込み、ボルト１３ａ及びナット１３ｂを用いて締結部６ｂと締結部５ｃを締結する。これによって天井パネル５は取付具１４を介して側面パネル６上に取り付けられる。
【００１３】  なお、図３において、側面パネル６の下端部は示していないが、下端にてかご室本体１００外方に向かって水平に延在する締結部を有し、この締結部に床パネル４が締結されているものである。
【００１４】  図４を用いて取付具１４の構造について説明する。図４に示すように取付具１４は、ボルト１３ａが通る締結用穴１４ａが設けられた保持板部１４ｂを有する。保持板部１４ｂの上面には天井パネル５の締結部５ｃの下面が接触し、下面には側面パネル６の締結部６ｂの上面が接触する。保持板部１４ｂのかご室本体１００外方端部から下方に垂直部１４ｃが延在し、この垂直部１４ｃからかご室本体１００内方に縁部１４ｄが延在する。また、保持板部１４ｂのかご室本体１００内方端部から下方に取付板部１４ｅが延在し、この取付板部１４ｅには、側面パネル６の壁面部６ａのかご室本体１００側の表面とは反対側の表面から突出する挿入部１４ｆが形成されている。挿入部１４ｆは、取付板部１４ｅの表面からかご室本体１００内方に延在する水平部１４ｇと、水平部１４ｇのかご室本体１００側端部から上方に延在する垂直部１４ｆを有する。さらに取付板部１４ｅには、照明装置１２を取付具１４に締結するための締結用ねじ穴１４ｉが、挿入部１４ｆの両側に設けられている。
【００１５】  図５から図７を用いてＬＥＤ装置１６及び照明箱１５を有する照明装置１２について説明する。照明箱１５は、３つの側板１５ａと１つの側板１５ｂと上板１５ｈを有し、全体として直方体状の形状を有する。側板１５ｂには取付具１４の挿入部１４ｆが挿入されることで、取付具１４に照明箱１５を固定する挿入溝１５ｃが形成されている。挿入溝１５ｃは、側板１５ｂの表面部１５ｄから照明箱１５内側に延在する水平部１５ｅと、水平部１５ｅから下方に延在する垂直部１５ｆと、垂直得１５ｆの下端から表面部１５ｄまで水平に延在する水平部１５ｇを有する。表面部１５ｄの照明箱１５内側表面と、水平部１５ｅの下面と、垂直部１５ｆの照明箱１５外側表面と、水平部１５ｇの上面とにより、溝が形成される。
【００１６】  上板１５ｈの下面にはＬＥＤ装置１６が設けられている。ＬＥＤ装置１６は、ＬＥＤ素子１６ａ、ＬＥＤ素子１６ａが実装された基板１６ｂ、ＬＥＤ素子１６ａへの電力供給を制御する制御部１６ｃ、制御部１６ｃへの電力供給を行う電源ケーブル１６ｄを有する。電源ケーブル１６ｄは側板１５ｂの上部に形成されたケーブル用穴１５ｉを通って、照明箱１５の内部から外部へ引き出される。この電源ケーブル１６ｄは、図３に示すように天井パネル５に設けられた換気穴５ｄを通ってかご室本体１００の外部へ引き出され、図示しない電源に接続される。
【００１７】  側板１５ｂの下部には、この側板１５ｂと向かい合う側板１５ａに向かって延在する水平部１５ｊが形成され、側板１５ｂと向かい合う側板１５ａの下部には、この側板１５ａから側板１５ｂに向かって延在する水平部１５ｋが形成される。側板１５ｂに隣接する互いに向かい合う２つの側板１５ａの下部には、他方の側板１５ａに向かって延在する水平部１５ｋが形成される。水平部１５ｉと３つの水平部１５ｋの上面には、ＬＥＤ素子１６ａからの光を拡散する照明板２０が載置され、保持される。挿入溝１５ｃの両側には照明箱１５を取付具１４に締結するための締結用穴１５ｌが形成される。照明装置１２は、いわゆる直接照明装置として機能する。
【００１８】  図８から図１１を用いて、側面パネル６への取付具１４と天井パネル５の取付方法について説明する。まず、両側面パネル６に取付具１４を取り付ける。取付具１４は、取付具１４の取付板部１４ｅと垂直部１４ｃとの間に、側面パネルの壁面部６ａと縁部６ｃが位置するように、側面パネル６に対し上方から載置され、側面パネル６に取り付けられる。このとき、側面パネル６の締結部６ｂの上面と取付具１４の保持板部１４ｂの下面とが接触する。取付具１４は１つの側面パネル６に対し３つ取り付けられる。
【００１９】  なお、取付具１４の縁部１４ｄが側面パネル６の縁部６ｃの下方まで延在しているため、取付具１４の取付板部１４ｅが側面パネル６の壁面部６ａから離れる方向に回動しても、取付具１４の縁部１４ｄの上面と側面パネル６の縁部６ｃの下面とが接触し、取付具１４の側面パネル６からの脱落が防止される。すなわち、取付具１４の縁部１４ｄと、側面パネル６の縁部６ｃは、脱落防止機構を構成する。また、側面パネル６に取り付けられた取付具１４が、取付板部１４ｅが側面パネル６の壁面部６ａに近づく方向に回動しても、取付具１４の取付板部１４ｅと側面パネル６の壁面部６ａとが接触し、取付具１４の側面パネル６からの脱落が防止される。すなわち、取付具１４の取付板部１４ｅと側面パネル６の壁面部６ａも、脱落防止機構を構成する。側面パネル６に取り付けられた取付具１４は、側面パネル６の締結部６ｂの上面と取付具１４の保持板部１４ｂの下面とが接触した状態にある。この状態では、取付具１４の縁部１４ｄが側面パネル６の縁部６ｃに沿って延在し、締結具１４の取付板部１４ｅが側面パネル６の壁面部６ａに沿って延在しているので、側面パネル６の締結部６ｂの上面に沿って移動させることができ、取り付け位置の調整が容易にできる。
【００２０】  取付具１４の位置調整が完了すると、図９に示すように、側面パネル６の締結部６ｂの上面における３つの取付具１４の両側に、取付具１４の保持板部１４ｂと厚さの等しい間埋め部材１７を計４つ載置する。さらに、図１０に示すように背面パネル７の上にも間埋め部材１８を載置する。背面パネル７は、かご室本体１００の壁を構成する壁面部７ａを有し、この壁面部７ａの上端部にかご室本体１００外方に向かって水平に延在された締結部７ｂを有し、この締結部７ｂから垂直に立ち下げられた垂直部７ｃを有している。また、締結部７ｂには締結用穴７ｄが形成されている。背面パネル７の締結部７ｂの上面には、取付具１４の保持板部１４ｂと厚さの等しい間埋め部材１８が載置される。間埋め部材１８には２つの締結用穴１８ａが形成されている。
【００２１】  また、図１１に示すように正面パネル２の上にも間埋め部材１９が載置される。前面パネル２は、正面部２ａを有し、この正面部２ａの上端部にかご室本体１００外方に向かって水平に延在された締結部２ｂを有し、この締結部２ｂから垂直に立ち下げられた垂直部２ｃを有している。また、締結部２ｂには締結用穴２ｄが形成されている。正面パネル２の締結部２ｂの上面には、取付具１４の保持板部１４ｂと厚さの等しい間埋め部材１９が載置される。間埋め部材１９には２つの締結用穴１９ａが形成されている。
【００２２】  側面パネル６に取り付けられた取付具１４の上に天井パネル５を載置すると、天井パネル５の締結部５ｃの下面と取付具１４の保持板部１４ｂの上面とが接触する。このとき同時に、背面パネル７の締結部７ｂ上に載置された間埋め部材１８の上面と天井パネル５の締結部５ｃの下面とが接触し、正面パネル２の締結部２ｂ上に載置された間埋め部材１９の上面と天井パネル５の締結部５ｃの下面とが接触する。この状態で、ボルト１３ａ及びナット１３ｂにより、取付具１４及び側面パネル６と天井パネル５とを締結し、背面パネル７及び間埋め部材１８と天井パネル５とを締結し、前面パネル２及び間埋め部材１９と天井パネル５とを締結する。側面パネル６上の間埋め部材１９は、天井パネル５の締結部５ｃと側面パネル６の締結部６ｂとの間に挟まれ保持される。なお、天井パネル５の締結部５ｃにはボルト１３ａが通る締結用穴５ｅが形成されており、側面パネル６の締結部６ｂにはボルト１３ａが通る締結用穴６ｄが形成されている。
【００２３】  取付具１７が固定されたら、取付具１７に対し照明装置１２を固定する。固定は２段階に分けられる。第１段階として、取付具１７の挿入部を照明箱１５の挿入溝１５ｃに挿入する。挿入部１４ｆの上下寸法は、照明箱１５の表面部１５ｄに形成される開口の上下寸法よりも若干小さく、横幅も同様に若干小さく形成されている。よって、取付具１７の挿入部１７ｆが照明箱１５の挿入溝１５ｃ内に入り込むように、照明装置１２を取付具１７に近づけ、その後照明装置１２を下方に落とし込むことで、挿入部１７が挿入溝１５ｃの上部まで入り込む。以上の手順により、照明装置１２が取付具１７に保持される。次に第２段階として、照明箱１５を締結具１７に締結する。図示しないネジを照明箱１５内部から締結用穴１５ｌを通って外部に突出させ、取付具１４の締結用ねじ穴１４ｉに螺着させる。締結具１７が側面パネル６に取り付けられた状態では、締結具１４の取付板部１４ｅと側面パネル６の壁面部６ａとの間の隙間が小さくナットが入らないため、締結用ねじ穴１４ｉにネジ山を切っておき、これに螺着させる構成としている。以上の手順により、照明装置１２が取付具１４に固定され、最後に照明板２０を下方から照明箱１５にはめ込むことで、照明装置１２の取付が完了する。
【００２４】  実施の形態１によれば、側面パネル６の上面に取付具１４を取り付け、取付具１４の上面に天井パネル５を取り付け、取付具１４に対しＬＥＤ装置１６を内包する照明箱１５を取り付けるようにした。そのため、かご室本体１００への照明装置の取り付け及び取り外しが容易となる。  また、側面パネル６の締結部６ｂと天井パネル５の締結部５ｃとを締結することで側面パネル６への天井パネル５の固定を行っていたエレベーターかごにおいては、これまでの基本的な構造を変更することなく、側面パネル６の締結部６ｂと天井パネル５の締結部５ｃとの間に取付具１４を配置するだけであるので、側面パネル６及び天井パネル５の設計への影響が少ない。
【００２５】  また、照明箱１５の挿入溝１５ｃに取付具１４の挿入部１４ｆを挿入させて一時的に保持させ、その後照明箱１５と締結具１４を締結するようにしたので、少人数で取り付けることが可能となる。
【００２６】  また、取付具１４の縁部１４ｄが、側面パネル６の縁部６ｃの下方まで延在しているので、側面パネル６の締結部６ｂをレールとして、取付具１４を側面パネル６の締結部６ｂ上で移動させることができ、取り付け位置の調整が容易にできる。
【００２７】  なお、上記実施の形態１では床パネル４、天井パネル５、側面パネル６及び背面パネル７それぞれを一枚のパネルで構成したものを示したが、これに限られるものではなく、複数の分割パネルを接続して構成したもので合っても良い。
【００２８】  なお、図１においては、扉１が片開きの例を示したが両開きであってもよい。また、図１において、両側面には側面パネル６が配され、背面には背面パネル７が配されるものとしたが、少なくとも１つの以上の面に扉１とは別の扉が設けられていてもよい。また、図１におけるかご室本体１００で形成される内空間は直方体形状であったが、正面パネル、側面パネル及び背面パネルの数を適宜変更し他の多面体形状となるようにかご室本体１００を構成してもよい。
【００２９】  なお、正面パネル２及び天井パネル５の間に取付具１４を取り付け、照明箱１５を設けてもよい。また、背面パネル７及び天井パネル５の間に取付具１４を取り付け、照明箱１５を設けてもよい。  また、上述の説明においては、側面パネル６に間隔を空けて複数の照明箱１５を設けるものとしたが、図１２に示すように側面パネル６のかご室本体１００内側面に対し左右方向に延びた照明箱２０を設けることもできる。照明箱２０内には複数のＬＥＤ照明装置１４が収容される。  また、取付具１４は１つの側面パネル６に対し３つ取り付けられるものとしたが、数は３つには限られない。同様に照明箱１５を設ける数も３つには限られない。  また、側面パネル６上の間埋め部材１７をより強固に保持するため、間埋め部材１７に締結用穴を設け、ボルト１３ａ及びナット１３ｂにより天井パネル５及び側面パネル６と締結してもよい。
【００３０】  また、取付具１４と間埋め部材１７を別々に側面パネル６に取り付けるものとしたが、取付具１４と間埋め部材１７を予め固定してから側面パネル６に取り付けてもよい。また、一体の部材として形成し側面パネル６に取り付けてもよい。この構成では輸送時のスペースが増加するが、現地での取付時間を短くすることができる。  また、ＬＥＤ装置１６の電源ケーブル１６ｄを天井パネル５の換気穴５ｄを通ってかご室本体１００の外部へ引き出すものとしたが、換気穴５ｄとは別に天井パネル５に引き出し用穴を設けてもよい。  また、側面パネル６と天井パネル５との間に間埋め部材１７を配置したが、間埋め部材１７を全部又は一部設けないようにし、側面パネル６と天井パネル５との間に生じる隙間を換気穴としてもよい。また、間埋め部材１７に換気穴を設けてもよい。また、間埋め部材１８、１９のうち少なくとも一つに換気穴を設けてもよいし、複数に分割し換気用の間隙を空けて配置してもよい。
【００３１】実施の形態２．  以下にこの発明の実施の形態２を、図１３から図１６を用いて説明する。図１３から図１６において、図１から図８と同一又は対応する構成については、同一符号を付し、説明を省略する。実施の形態２においては、図１３に示すようにかご室本体１００上部における天井パネル５と側面パネル６の境界部に照明装置２１が取り付けられる。
【００３２】  図１５に示すように、照明装置２１は、ＬＥＤ装置１６と照明箱２２を有する。照明箱２２は、３つの側板２２ａと１つの側板２２ｂと下板２２ｄを有し、全体として直方体状の形状を有する。側板２２ｂには取付具１４の挿入部１４ｆが挿入されることで、取付具１４に照明箱２２を固定する突出部用挿入溝２２ｃが形成されている。取付具１４と照明箱２２は、締結用穴２２ｌを通るボルトで固定される。下板２２ｄの上面にはＬＥＤ装置１６が設けられている。照明箱２２の上面は開口しており、ＬＥＤ装置１６の電源ケーブル１６ｄはこの開口から照明箱２２の外部へ引き出される。電源ケーブル１６ｂは、さらに天井パネル５に設けられた換気穴５ｄを通って、かご室本体１００の外部へ引き出され、図示しない電源に接続される。
【００３３】  ＬＥＤ素子１６ａからの光は、照明箱２２の上部の開口から照明箱２２の外部へ上方に投射される。照明箱２２の外部に投射された光は、主に天井パネル５の天板部５ａで反射される。照明装置２１は、いわゆる間接照明装置として機能する。
【００３４】  実施の形態２によれば、側面パネル６の上面に取付具１４を取り付け、取付具１４の上面に天井パネル５を取り付け、取付具１４に対しＬＥＤ装置１６を内包する照明箱２２を取り付けるようにした。そのため、かご室本体１００への照明装置の取り付けが容易となる。
【００３５】実施の形態３．  以下にこの発明の実施の形態３を、図１７を用いて説明する。実施の形態３は、直接照明装置として機能する照明装置を使用した実施の形態１を基本的な構成としつつ、実施の形態１で用いた取付具１４の形状を一部変更した取付具２３を用いたものである。図１７において図４と同一または対応する構成については同一の符号を付し、説明を省略する。
【００３６】  図１７において、取付具２３は、照明箱１５から外部に引き出された電源ケーブル１６ｄが通るケーブル用溝２３ｇを有する。ケーブル用溝２３ｇは、取付板部２３ｅの突出部７ｅが形成された表面から保持板部２３ｂを通って垂直部２３ｃのかご室本体１００の外方表面まで達している。また、ケーブル用溝２３ｇは、取付具２３に照明箱１５を固定した際、照明箱１５のケーブル用穴１５ｉと通じる位置に形成される。実施の形態１では、電源ケーブル１６ｄを天井パネル５の換気穴５ｄ又はケーブル用穴を通してかご室本体１００の外部に引き出したが、実施の形態３では、照明箱１５のケーブル用穴１５ｉから照明箱１５の外部に引き出された電源ケーブル１６ｄを、取付具２３のケーブル用溝２３ｇを通ってかご室本体１００の外部に引き出す。
【００３７】  実施の形態３によれば、天井パネル５の換気穴５ｄに電源ケーブル１６ｄを通す場合と比べ、照明装置の取り付け位置が換気穴の位置に依存しないため、照明装置の配置の自由度が増す。また、換気穴５ｄの内部を電源ケーブル１６ｄが通らないことから換気を阻害することもない。また、天井パネル５にケーブル用穴を設ける場合と比べ、天井パネル５への加工が不要となり、低コスト化が可能である。
【００３８】実施の形態４．  以下にこの発明の実施の形態４を、図１８及び図１９を用いて説明する。実施の形態４は、間接照明装置として機能する照明装置を使用した実施の形態２を基本的な構成としつつ、実施の形態２で用いた取付具１４の代わりに実施の形態３で用いた取付具２３を用いたものである。また、取付具２３を用いるために実施の形態２で用いた照明箱２２の形状を一部変更した照明箱２４を用いている。図１８及び図１９において図１５又は図１６と同一または対応する構成については同一の符号を付し、説明を省略する。
【００３９】  図１８及び図１９において、照明装置２５は照明箱２４及びＬＥＤ装置１６を有する。照明箱２４の側板２４ｂにはＬＥＤ装置１６の電源ケーブル１６ｄが通るケーブル用穴２４ｅが照明箱２２の開口よりも下方に形成されている。照明箱２４の突出部用挿入溝２２ｃには、取付具２３の挿入部１４ｆが挿入され、これにより取付具２３に対し照明箱２４が固定される。照明箱２４のケーブル用穴２４ｅは、取付具２３に照明箱２４を固定した際、ケーブル用溝２３ｇと通じる位置に形成される。照明箱２４のケーブル用穴２４ｅから照明箱２４の外部に引き出された電源ケーブル１６ｄは、取付具２３のケーブル用溝２３ｇを通ってかご室本体１００の外部に引き出される。
【００４０】  実施の形態２においては、照明箱２２の上部の開口から照明箱２２の外部に引き出されたケーブル１６ｄを、天井パネル５に設けた換気穴５ｄまたはケーブル用穴からかご室本体１００外部に引き出していたが、電源ケーブル１６ｄが照明箱２２の開口を通るためＬＥＤ装置１６からの光を遮断しやすくなっていた。実施の形態４においては、電源ケーブル１６ｄが、照明箱２２の開口よりも下方に位置する照明箱２４のケーブル用穴１８ｅと取付具２３の挿入部１４ｆを通ってかご室本体１００外部に引き出されるため、ＬＥＤ装置１６からの光が遮断されにくい。また、直接照明装置として機能する照明装置を使用した実施の形態３と同じ形の取付具２３を用いることが出来るので、使用する照明装置の機能が直接照明か間接照明かに関わらず取付具２３を共有化でき、コストが低減できる。
【００４１】実施の形態５．  以下にこの発明の実施の形態５を、図２０から図２２を用いて説明する。実施の形態５は、間接照明装置として機能する照明装置を使用した実施の形態２を基本的な構成としつつ、実施の形態２で用いた取付具１４の形状を一部変更した取付具２６、実施の形態２で用いた照明箱２７を用いている。図２０から図２２において図１５から図１７と同一または対応する構成については同一の符号を付し、説明を省略する。
【００４２】  図２１及び図２２において、照明装置２８は照明箱２７及びＬＥＤ装置１６を有する。照明箱２７の側板２７ｂにはＬＥＤ装置１６の電源ケーブル１６ｄが通るケーブル用穴２７ｅが形成されている。ケーブル用穴２７ｅは、ＬＥＤ装置１６のＬＥＤ素子１６ａよりも下方に位置する。図２０において、取付具２６には、保持板部２６ｂのかご室１００内方端部から下方に取付板部２６ｅが延在し、かご室１００外方端部から下方に垂直部２６ｃが延在する。取付板部２６ｅ、保持板部２６ｂおよび垂直部２６ｃには、連通したケーブル用溝２６ｇが形成される。ケーブル用溝２６ｇは、取付板部２６ｅの下部から上方に延在し、保持板部２６ｂまで達すると垂直部２６ｃに向かって水平に延在する。ケーブル用溝２６ｇは垂直部２６ｃのかご室１００外方表面まで達する。
【００４３】  照明箱２７の突出部用挿入溝２２ｃには、取付具２６の挿入部１４ｆが挿入され、これにより取付具２６に対し照明箱２７が固定される。照明箱２７のケーブル用穴２７ｅは、取付具２６に照明箱２７を固定した際、ケーブル用溝２６ｇと通じる位置に形成される。照明箱２７のケーブル用穴２７ｅから照明箱２７の外部に引き出された電源ケーブル１６ｄは、取付具２６のケーブル用溝２６ｇを通ってかご室本体１００の外部に引き出される。
【００４４】  実施の形態５によれば、ＬＥＤ装置１６からの光が上方の天井パネル５に向かって投射される構成においても、ＬＥＤ装置１６のＬＥＤ素子１６ａよりも下方に形成したケーブル用穴２７ｅを通って電源ケーブル１６ｄをかご室本体１００外部に引き出すため、電源ケーブル１６ｄによってＬＥＤ装置１６からの光が遮断されない。
【符号の説明】
【００４５】  １００  かご室本体、２  床パネル、３  天井パネル、４  側面パネル、５  正面パネル、６  側面パネル、７  背面パネル、  １２、２５照明装置、  １５、２４照明箱、  １６ＬＥＤ装置
【図１】
2015181850.tif 000003
【図２】
2015181850.tif 000004
【図３】
2015181850.tif 000005
【図４】
2015181850.tif 000006
【図５】
2015181850.tif 000007
【図６】
2015181850.tif 000008
【図７】
2015181850.tif 000009
【図８】
2015181850.tif 000010
【図９】
2015181850.tif 000011
【図１０】
2015181850.tif 000012
【図１１】
2015181850.tif 000013
【図１２】
2015181850.tif 000014
【図１３】
2015181850.tif 000015
【図１４】
2015181850.tif 000016
【図１５】
2015181850.tif 000017
【図１６】
2015181850.tif 000018
【図１７】
2015181850.tif 000019
【図１８】
2015181850.tif 000020
【図１９】
2015181850.tif 000021
【図２０】
2015181850.tif 000022
【図２１】
2015181850.tif 000023
【図２２】
2015181850.tif 000024
【国際調査報告】
2015181850.tif 000025
2015181850.tif 000026
2015181850.tif 000027
2015181850.tif 000028